(57)【要約】【課題】  ゴルフクラブの出し入れが容易なヘッドカバー、表裏面を入れ替えて使用できるヘッドカバーを提供する。【解決手段】  ヘッド保護部とシャフト保護部を備えるものであり、クラブを出し入れ口がクラブヘッドのソール側面のヘッド保護部頂部付近からシャフト保護部の下端まで連続開口されており、その出し入れ口を横に広げてクラブを出し入れできるようにした。前記出し入れ口を横に広げてヘッドカバーの外面と内面を裏返しにすることができる。外面と内面は同じ又は異なる色、柄、模様、デザイン、材質、機能にすることもできる。出し入れ口付近に、出し入れ口を開閉可能な開閉具を備え、出し入れ口の上端部は開閉具を備えない解放状態とすることもできる。【選択図】図１
2016202745.tif 000002
【特許請求の範囲】
【請求項１】
ゴルフクラブのヘッドに被せてヘッドを保護することのできるヘッド保護部と、ヘッドに装着されているシャフトに被せてシャフトを保護することのできるシャフト保護部が連続するゴルフクラブ用のヘッドカバーにおいて、
クラブを出し入れできる出し入れ口がクラブヘッドのソール側面にあり、
出し入れ口はソール側面のヘッド保護部頂部付近からシャフト保護部の下端まで連続開口されており、その出し入れ口を横に広げてクラブを出し入れできるようにしたものである、
ことを特徴とするゴルフクラブ用ヘッドカバー。
【請求項２】
ゴルフクラブのヘッドに被せてヘッドを保護することのできるヘッド保護部と、ヘッドに装着されているシャフトに被せてシャフトを保護することのできるシャフト保護部が連続するヘッドカバーにおいて、
ヘッドカバーにクラブを出し入れできる出し入れ口があり、出し入れ口はヘッド保護部頂部付近からシャフト保護部の下端まで連続開口して、横に広げてヘッドカバーの外面と内面を裏返しにすることができるようにした、
ことを特徴とするゴルフクラブ用ヘッドカバー。
【請求項３】
請求項２記載のゴルフクラブ用ヘッドカバーにおいて、
外面と内面が同じ又は異なる色、柄、模様、デザイン、材質、機能である、
ことを特徴とするゴルフクラブ用ヘッドカバー。
【請求項４】
請求項２又は請求項３記載のゴルフクラブ用ヘッドカバーにおいて、
出し入れ口付近に、出し入れ口を開閉可能な開閉具を備え、出し入れ口の上端部は開閉具を備えない解放状態である、
ことを特徴とするゴルフクラブ用ヘッドカバー。
【発明の詳細な説明】
【技術分野】
【０００１】
本発明は、ゴルフクラブ用ヘッドカバー（以下、単に「ヘッドカバー」という）に関するものである。
【背景技術】
【０００２】
ゴルフクラブ（以下、単に「クラブ」という）にはウッドクラブ、アイアンクラブ、ユーティリティクラブ、パターをはじめとする各種クラブがある。ヘッドカバーはクラブヘッド（以下、単に「ヘッド」という）からシャフトの取付け部にかけて被せて、ヘッド及びシャフトの取付け部付近を保護するものである。
【０００３】
本件出願人は、本件出願以前に種々のヘッドカバーを提案した（特許文献１〜４）。特許文献１のヘッドカバーは、ソール被覆部にヘッド出し入れ口が設けられたもの、特許文献２のヘッドカバーは、一部を非伸縮性材料で構成するとともに、他の部分を伸縮性材料で構成したもの、特許文献３のヘッドカバーは、ヘッドカバーの一部に名札入れを設けたもの、特許文献４のヘッドカバーは、カバーの全部又は一部に視認用の透明窓を設けたものである。
【先行技術文献】
【特許文献】
【０００４】
【特許文献１】特開２０１５−０３９５３１号公報
【特許文献２】特開２００８−０６８０６９号公報
【特許文献３】特開２００７−３３０７２５号公報
【特許文献４】特開２００７−１８５５２０号公報
【発明の概要】
【発明が解決しようとする課題】
【０００５】
本発明は、従来のヘッドカバーと同様に、ヘッドからヘッドに取り付けたシャフトの取付け部付近までに被せてそれらを保護することができ、出し入れが容易なヘッドカバーと、ヘッドカバーの表裏面を裏返しにして使い分けることができるリバーシブル式のヘッドカバーを提供することにある。
【課題を解決するための手段】
【０００６】
本発明のヘッドカバーは、クラブのヘッドに被せてヘッドを保護することのできるヘッド保護部と、ヘッドに装着されているシャフトに被せてシャフトを保護することのできるシャフト保護部が連続するヘッドカバーであって、クラブを出し入れできる出し入れ口がクラブヘッドのソール側面にあり、出し入れ口はソール側面のヘッド保護部頂部付近からシャフト保護部の下端まで連続開口されており、その出し入れ口を横に広げてクラブを出し入れできるようにしたものである。出し入れ口は開閉具で開閉できるようにすることもできる。
【０００７】
本発明のヘッドカバーは、クラブのヘッドに被せてヘッドを保護することのできるヘッド保護部と、ヘッドに装着されているシャフトに被せてシャフトを保護することのできるシャフト保護部が連続するヘッドカバーであって、クラブを出し入れできる出し入れ口がヘッド保護部頂部付近からシャフト保護部の下端まで連続開口されており、その出し入れ口を横に広げてクラブを出し入れでき、ヘッドカバーの外面を内側に、内面を外側に裏返しにする（表裏面を反転させる）ことができ、裏返し前も後もヘッドからシャフトの付け根付近まで被せることができるようにしてある。
【０００８】
表裏面反転方式（リバーシブル方式）の場合は、ヘッドカバーの外面と内面が同じ又は異なる色、柄、模様、デザイン、材質、機能とすることもできる。ヘッドカバーの表材と裏材の間にはクッション材を入れて、ヘッド及びシャフトを十分に保護できるようにする。クッション材は外面と内面を裏返しし易くなるように薄めにするのが望ましい。出し入れ口はソール側面又はクラウン側面のいずれに開口してもよい。出し入れ口付近には出し入れ口を開閉可能な開閉具を備設けることもできる。この場合、出し入れ口の上端部は開閉具を備えない解放状態にすると、出し入れ口を開き易くなる。また、出し入れ口を大きく開くことができるため、裏返しもし易くなる。開閉具には磁石、面ファスナー等の任意の開閉具を使用することができる。
【発明の効果】
【０００９】
本発明のヘッドカバーは、次の効果を奏する。
（１）出し入れ口がソール側面のヘッド保護部頂部付近からシャフト保護部の下端まで連続開口されている場合は、シャフトに取り付けられているヘッドのクラウン側を、開いた出し入れ口に宛がい易くなり、出し入れ口に入れやすくなる。
（２）リバーシブルの場合は、一つのヘッドカバーの内面と外面を裏返して使い分けることができる。
（３）リバーシブルであって内面と外面が同じ場合は、一方の面が汚れた場合に裏返しにして、それまで未使用であった裏面を表面にして、あたかも新品であるかのようにして使うことができる。内面と外面の色、デザイン、模様、材質、機能等が異なる場合は、一つのヘッドカバーで二通りの色、デザイン、模様、材質、機能等に使い分けることができる。
（４）出し入れ口がヘッド保護部頂部付近からシャフト保護部まで連続して開口しているため、出し入れ口を広げて内側面と外側面を容易に裏返しすることができる。
（５）出し入れ口を開閉可能な開閉具を設けることにより、ヘッドが出し入れ口から飛び出すことがなく、クラブが保護される。
【図面の簡単な説明】
【００１０】
【図１】本発明のヘッドカバーの一例を示す斜視図。
【図２】本発明のヘッドカバーにクラブを収容した状態を示す説明図。
【図３】図１に示すヘッドカバーの生地の断面図。
【図４】（ａ）〜（ｄ）は、本発明のヘッドカバーを裏返す手順の説明図。
【図５】（ａ）〜（ｄ）は、本発明のヘッドカバーを裏返す手順の説明写真。
【発明を実施するための形態】
【００１１】
（実施形態１）
［ソール側開口部］
図１、図２に示した本発明のヘッドカバー１は、クラブＣのヘッドＨに被せてヘッドＨを保護することのできるヘッド保護部２と、ヘッドＨに装着されているシャフトＳに被せてシャフトＳを保護することのできるシャフト保護部３が連続するヘッドカバー１に、クラブＣを出し入れできる出し入れ口４を開口し、出し入れ口４はヘッドＨのソール側面５のヘッド保護部頂部（先端部）６付近から、シャフト保護部３の下端７まで一連にスリット状に開口されており、出し入れ口４を外側に開いて、ヘッドカバー１の表面８と内面９を裏返しすることができるようにしてある。
【００１２】
（実施形態２）
［リバーシブル方式］
本発明のヘッドカバー１は、出し入れ口４を外側に開いて、ヘッドカバー１の表面８と内面９を裏返し可能とすることもきる。ヘッドカバー１は裏返しの前後いずれの場合もクラブＣに被せることができる。本発明における外面８と内面９は相対的なものであり、裏返しする前に外に出ている面であっても、裏返しして外に出た面であっても外に出ている面が外面８、内側になっている面が内面９である。
【００１３】
この実施形態では、クラブＣの出し入れを容易にするため、出し入れ口４が収容するクラブのソール側面５に設けてあるが、収容するクラブのクラウン側になる面（クラウン側面）１０に設けることもできる。この場合も、クラウン側面１０の頂部付近から、シャフト保護部３の下端７まで一連にスリット状に開口する。可能であればヘッド保護部２とシャフト保護部３の側面とか他の部分に設けることもできる。
【００１４】
ヘッドカバー１は外面８の生地（表材）と内面９の生地（裏材）の間にクッション材１１（図３）を入れて、ヘッドＨ及びシャフトＳの付け根部分を保護できるようにしてある。クッション材１１を厚くするとクラブＣの保護には好ましいが、裏返ししにくくなることがあるため、裏返しし易い厚さ（薄め）にしてある。表材と裏材はヘッドＨに被せても傷つきにくい材質のものを使用する。クッション材１１には例えば綿やスポンジなどを用いることができる。
【００１５】
外面８と内面９は色、材質、デザイン、模様、装飾、機能（例えば、防水性、撥水性、伸縮性）等が同じであってもよいが、異なるものであってもよい。色は単一色でも複数色の組み合わせでもよく、柄や模様は任意のものとすることができる。表材と裏材は裏返しし易い薄手の生地、軟らかい生地、フレキシブルな生地が適する。表材も裏材も、各種機能の生地を積層したものであってもよい。
【００１６】
出し入れ口４の両外縁１２には細長のマグネット（開閉具）１３を取り付けて出し入れ口４を開閉できるようにしてある。マグネット１３の磁力が強すぎると金属製のヘッドが吸着されて出し入れしにくいとか、出し入れ口４を開けにくくなるといったことがあるため、この実施形態では、マグネット１３を両外縁１２の長手方向の三箇所に片側三本ずつ間隔をあけて収容して、磁力を適当な磁力強度に調整してある。マグネット１３は表材或いは裏材で被覆して外部に露出しないようにして、ヘッドＨの傷つきを防止できるようにしてある。マグネット１３の本数は任意数とすることができる。出し入れ口４の上端部にはマグネット１３を設けず、上端部は解放状態にしてある。これにより出し入れ口４をその上端部まで開き易くして、ヘッドカバー１を裏返しし易くしてある。
【００１７】
ヘッドカバー１のソール側面５と側面１４との境目には細長のパイピング材１５を取り付けてヘッドカバー１の型崩れを防止すると共に装飾にしてある。パイピング材１５は汎用のものであり、樹脂製、ゴム製等の細長チューブ状であり、金色、銀色といった各種色彩のものを選択使用することができる。パイピング材１５はクラウン側面１０と側面１４との境目や、その他の場所に設けることもできる。パイピング材１５はヘッドカバー１の外面８と内面９の双方に設けることも片方のみに設けることもできる。必要に応じて設ければよく、設けない場合もある。
【００１８】
前記実施形態では開閉具としてマグネット１３を用いる場合を一例としているが、開閉具には、面状ファスナーやジッパーファスナー、ボタンなど、マグネット以外のものを用いることもできる。
【００１９】
（使用例）
本発明のヘッドカバー１は、次のようにして裏返すことができる。
（１）図４（ａ）、図５（ａ）に示すように、出し入れ口４を開く。
（２）図４（ｂ）、図５（ｂ）に示すように、出し入れ口４を更に開いて、ヘッド保護部２及びシャフト保護部３の、それまで外側になっていた外面８を外側から内側に押し込む。
（３）前記（２）のように内側に押し込まれた外面８を、図４（ｃ）、図５（ｃ）に示すように内側に折り返す。
（４）前記（３）のように折り返された外面８を図４（ｄ）、図５（ｄ）に示すように内側にし、それまで内側になっていた内面９を外側にして裏返しにする。その後、ヘッド保護部２及びシャフト保護部３の形状を整える。
【産業上の利用可能性】
【００２０】
前記したヘッドカバー１はウッドクラブ用であるが、ユーティリティクラブ用、アイアンクラブ用、パター用のヘッドカバーに応用することもできる。
【符号の説明】
【００２１】
１    ヘッドカバー
２    ヘッド保護部
３    シャフト保護部
４    出し入れ口
５    （ヘッド保護部の）ソール側面
６    ヘッド保護部頂部
７    （シャフト保護部の）下端
８    外面
９    内面
１０  （ヘッドカバーの）クラウン側面
１１  クッション材
１２  （出し入れ口の）外縁
１３  マグネット（開閉具）
１４  （ヘッドカバーの）側面
１５  パイピング材
Ｃ    クラブ
Ｈ    ヘッド
Ｓ    シャフト
【図１】
2016202745.tif 000003
【図２】
2016202745.tif 000004
【図３】
2016202745.tif 000005
【図４】
2016202745.tif 000006
【図５】
2016202745.tif 000007